(57)【要約】【課題】左右２部材を主要部材として組み合わせて構成された方立を備えた外壁において、前記方立にガタツキが生じず、かつ２部材間の間隔が広がることがなく、見た目にも快い方立を備えた外壁を提供する。【解決手段】左右方向に間隔をおいて立設された複数の方立と、該方立に直交する方向に架け渡された複数の横材と、これら方立及び横材により構成される枠にシールを介して取り付けられたパネルとを具備する外壁において、前記方立は、前記左右方向に配置される２部材を主たる構造材として備え、前記２部材は室外側及び室内側にそれぞれ係合部を備えて係合するとともに、前記室外側及び室内側の係合部はいずれも連結部材により連結固定して、前記室内側の係合部を連結固定する連結部材は、カバーにより覆う。【選択図】      図１
2004278175.tif 000002
【特許請求の範囲】
【請求項１】
左右方向に間隔をおいて立設された複数の方立と、該方立に直交する方向に架け渡された複数の横材と、これら方立及び横材により構成される枠に取り付けられたパネルとを具備する外壁であって、
前記方立は、前記左右方向に配置される２部材を主たる構造材として備え、
前記２部材は室外側及び室内側にそれぞれ係合部を備えて係合されるとともに、前記室外側及び室内側の係合部はいずれも連結部材により連結固定され、
前記室内側の係合部を連結固定する連結部材は、カバーにより覆われている外壁。
【発明の詳細な説明】
【０００１】
【発明の属する技術分野】
本発明は、方立を備えたカーテンウオール等の建物の外壁に関し、特にガタツキや寸法が変化することのない方立を備えた外壁に関する。
【０００２】
【従来の技術】
家庭電化製品の量販店などの建物は、店舗のイメージを高めるため建物正面部分にガラスパネルを多用したカーテンウオール構造を配したものが多い。カーテンウオールとしては左右に隣接する方立間に無目を連結し、左右に隣接する方立と上下に隣接する無目間にパネルを装着したものが知られている。
【０００３】
図４は、このような建物外壁に使用される方立の一例として公知の方立１４０の水平断面を示すものである。方立１４０は、左右に配置される左部材１４１と右部材１４２とを備えている。左部材１４１にはシール部材１４３ａ、１４３ｂを介してガラスパネル１４５が固定されている。また、右部材１４２にはシール部材１４４ａ、１４４ｂを介してガラスパネル１４６が固定されている。
【０００４】
左部材１４１及び右部材１４２は、室外側嵌合部１４７、及び室内側嵌合部１５０を備え、さらに左右のガラスパネル１４５、１４６を取り付けている部分に挟まれる部位に係合部１４８を備えている。係合部１４８は、ビス１４９により固定されており、左部材１４１と右部材１４２とは、室外側嵌合部１４７、及び室内側嵌合部１５０、並びに係合部１４８におけるビス止めにより固定され、一体の方立１４０として機能している。
【０００５】
また特許文献１には、図５に示されるように、見込み方向に向う縦板１０５の見込み方向一側部に見付け方向に向う見込み方向一側板１０６を一体的に設けた第１縦枠１０２と、見込み方向に向う縦板１１３を有する第２縦枠１０３を備え、第２縦枠１０３の縦板１１３見込み方向一側部を見込み方向一側板１０６の突出端部に係合連結し、第２縦枠１０３の縦板１１３見込み方向他側部を前記第１縦枠１０２の縦板１０５の見込み方向他側部に連結して第１縦枠１０２と第２縦枠１０３を連結した分割式の方立１０１とし、前記第１縦枠１０２の見込み方向一側板１０６の意匠材取付面に凹陥部１１０と透孔１１６を形成し、意匠材１２０の本体１２３の取付面に、前記凹陥部１１０に嵌合する一対の嵌合片１２５と前記透孔１１６と対向する凹条溝１２７を形成し、前記凹条溝１２７に連結用ボルト１３０の頭部１３１を嵌合し、そのネジ部１３２を透孔１１６に挿通し、その突出部分にナット１３４を螺合して意匠材１２０を連結したことを特徴とする方立の意匠材連結構造が開示されている。
【特許文献１】
特開平８−１２８２６６
【０００６】
【発明が解決しようとする課題】
しかし、図４に示されている公知の構造や、特許文献１に開示されている構造は、室外側をネジ等の連結部材で固定しているものの、室内側における２部材の連結は嵌合に頼るものである（図４における参照符号１５０、図５における参照符号１３５を参照）。これらのように２部材を組み合わせて嵌合を利用して一体の方立とする場合、嵌合部に所定のクリアランスを設ける必要があり、このクリアランスがあるために必然的にいわゆる「遊び」が生じて、２部材間にガタツキが出るという問題があった。また、ビスで固定されている部分から離隔する位置にある室内側の嵌合部においては、２部材間の間隔が広がって、見た目にも悪くなるという問題もあった。
【０００７】
そこで、本発明は、左右２部材を主要部材として組み合わせて構成された方立を備えた外壁において、前記方立にガタツキが生じず、かつ２部材間の間隔が広がることがなく、見た目にも快い方立を備えた外壁を提供することを課題とする。
【０００８】
【課題を解決するための手段】
以下、本発明について説明する。なお、本発明の理解を容易にするために添付図面の参照符号を括弧書きにて付記するが、それにより本発明が図示の形態に限定されるものではない。
【０００９】
請求項１の発明は、左右方向に間隔をおいて立設された複数の方立（１２ａ〜１２ｈ）と、該方立に直交する方向に架け渡された複数の横材（１３ａ〜１３ｊ）と、これら方立及び横材により構成される枠に取り付けられたパネル（Ｐ１、Ｐ２）とを具備する外壁（１０）であって、前記方立は、前記左右方向に配置される２部材（３１、３２）を主たる構造材として備え、前記２部材は室外側及び室内側にそれぞれ係合部（２３、２２）を備えて係合されるとともに、前記室外側及び室内側の係合部はいずれも連結部材（３８、２１ａ〜２１ｃ）により連結固定され、前記室内側の係合部を連結固定する連結部材は、カバー（２０）により覆われている外壁を提供して前記課題を解決しようとするものである。
【００１０】
この発明によれば、左右の２部材で構成される方立は、左右２部材が室内側及び室外側の係合部においてそれぞれ連結部材により固定されているので、ガタツキが生じる余地がない。また同様の理由により、方立の室内側、あるいは室外側が広がってしまう虞もない。さらに連結部材はカバーにより覆われるので、例えば連結部材がビス等外観上好ましくないものであったとしても、観者の目に振れることがなく、見た目にも快い方立を備えた外壁を構成することが可能となる。
【００１１】
本発明のこのような作用及び利得は、次に説明する実施の形態から明らかにされる。
【００１２】
【発明の実施の形態】
以下本発明を図面に示す実施形態に基づき説明する。
【００１３】
図１は、本発明の外壁１０を備えた建物１の正面図である。かかる建物１は、家電量販店等の店舗に多く採用されている。一階部分に出入口１１が設けられ、通常２〜３階建ての構造とされている。正面部分の外壁１０は通常カーテンウオールと呼ばれ、左右方向に間隔をおいて立設された複数の方立１２ａ〜１２ｈと、該方立と直交する方向に方立間に架け渡された複数の横材１３ａ〜１３ｉとが縦横に配置されている。なお、図では横材１３ａ〜１３ｉは横方向に連続しているように見えるが、各方立１２ａ〜１２ｈにより分断されており、各横材それぞれが多数の部材の集合として構成されている。これに対して方立１２ａ〜１２ｈは上下方向に１本ずつ貫かれている。これら方立１２ａ〜１２ｈ及び横材１３ａ〜１３ｉにより構成される枠にシール部材を介して多数のパネル（図１においては後の説明に必要なＡ部のパネルのみ参照符号Ｐ１、Ｐ２を付してある。）が取り付けられて、建物１の正面の外観たる外壁１０（カーテンウオール）を構成している。通常パネルとして、ハーフミラーのガラスパネルが使用されている。
【００１４】
図２は、図１における参照符号Ａで示された部分を破断して示す斜視図である。なお、図２に表されている斜視図の視点は室内側斜め上方にある。図２に表されているＡ部は、建物１が地表ＧＬに接する部分であり、横材として、巾木１３ｊが使用されている。地表ＧＬに接するよう方立１２ｄが立設され、その左右には巾木１３ｊ、１３ｊが取り付けられている。方立１２ｄは、左部材３１と右部材３２とが組み合わされて形成されている。左部材３１と右部材３２とは、室外側係合部２３と、室外側係合部２２とを備えている。室内側係合部２３は、３つのビス２１ａ、２１ｂ、２１ｃにより連結固定されている。また、図２には現れていないが、室外側係合部２３も上下方向３箇所でビス止めされている。
【００１５】
室外側係合部２３及びビス２１ａ〜２１ｃは、使用状態においてはカバー部材２０により覆われている。ただし図２においては、内部構造のよりよい理解を得るために、カバー部材２０は、方立１２ｄから取りはずされて、室内側に離隔した位置に示されている。
【００１６】
図３は、図２におけるＩＩＩ−ＩＩＩ線に沿った水平断面図である。なお図３では図の右下部に示すように、図の上方が室外側、下方が室内側を示し、説明の便宜上、図の左右により左右を定義する。方立１２ｄの左右室外側には巾木１３ｊ、１３ｊが取り付けられ、方立１２ｄと巾木１３ｊ、１３ｊとにより構成される枠にはガラスパネルＰ１、Ｐ２が取り付けられている。ガラスパネルＰ１、Ｐ２は、室外側はシール３３ａ、３３ｂ、及びシール止め３５ａ、３５ｂを介して、室内側はビード又はシール３４ａ、３４ｂを介して枠に取り付けられている。
【００１７】
図に示されているように方立１２ｄは、左右の２部材、すなわち左部材３１と右部材３２とが組み合わされて一体となって形成されている。
【００１８】
左部材３１は、室外側に面する正面壁８０と、正面壁８０の中央部やや右寄りから室内側に延在する第一係合壁８１と、第一係合壁８１の室内側端部から左方向に折り返して形成された内部壁８２と、内部壁８２の左端部から室内方向に折り返されて室内側端部に達する左壁８３と、左壁８３の室内側端部よりやや室外側寄りから右方向に略「Ｓ」字型に延在する第二係合壁８４とを備えている。
【００１９】
一方、右部材３２は、室外側に面する正面壁６０と、正面壁６０の左端部から室内側に延在する第一係合壁６１と、第一係合壁６１の室内側端部から右方向に折り返して形成された内部壁６２と、内部壁６２の右端部から室内方向に折り返されて室内側端部に達する左壁６３と、左壁６３の室内側端部より左方向に折り返されて、前記左部材３１の室内側先端部まで達するように延在する室外側壁６４を備えている。室外側壁６４の左側先端部は室外側に折り返され、第二係合壁６４ａを形成している。
【００２０】
室外側係合部２３においては、右部材３２の正面壁６０左端に左部材３１の正面壁８０の右端側が当接されるとともに、右部材３２の第一係合壁６１に設けられた被嵌入部６１ａに、左部材３１の第一係合壁８１に設けられた突片８１ａが嵌入され、さらに第一係合壁８１の室内側端部に右方向に延設された被嵌入部８１ｂに内壁部６２の左側先端に設けられた嵌入片６１ｂが嵌入されている。そしてこれらの嵌合構造により仮止めされている左部材３１の第一係合壁８１と右部材３２の第一係合壁には、ねじ孔が設けられており、これらのねじ孔に差し入れられたビス３８により、両者は確実に固定されている。なお、図３は水平断面図であるためビス３８は、一つだけ示されているが、実際には図２におけるビス２１ａ〜２１ｃの配置と同様に上中下の３箇所に配されている。
【００２１】
室内側係合部２２においては、右部材３２の第二係合壁６４ａと左部材３１の第二係合壁８４とが係合されている。第二係合壁８４先端平面８４ａの室内側向きの面は、右部材３２の室外側壁６４室外側向きの面に当接されている。これら２面が当接する部分に室内外方向に、内面に雌ねじ形状が形成された貫通孔が設けられていて、この貫通孔にビス２１ｂが差し入れられて第二係合部２２においても右部材３２の室外側壁６４と左部材３１の先端平面８４ａとが堅固に固定される。
【００２２】
このように、右部材３２と左部材３１とが室外側の第一係合部２３、及び室内側の第二係合部２２それぞれにおいてビス止めされているので、両者の位置関係が一意に決せられ、従来の構造にあったようにガタツキが発生したり、室内側係合部のギャップの部分において両者の間隔が広がったりしてしまうことがない。
【００２３】
さらに、右部材３２、及び左部材３１の室内側両側端部にはそれぞれ、被嵌入部５３、５２が設けられている。一方、カバー部材２０は、正面壁５５の両端部に内側に折り返された突片５４、５１を備えている。被嵌入部５３、５２にそれぞれ突片５４、５１を差し入れることにより、カバー部材２０は方立１２ｄの室内側に固定される。かくして、方立１２ｄの室内側の面はカバー部材２０に覆われることとなり、第二係合部２２及びビス２１ａ〜２１ｃは、室内側から見えないようになる。よって、意匠上の効果を得ることができるという利点もある。
【００２４】
かかる方立１２ｄを含む外壁を組み立てる順序としては、まず左部材３１と、右部材３２とを、室外側係合部２３、及び室内側係合部２２を利用して仮止めする。次いで、ビス３８（３つある。）にて室外側係合部２３、ビス２１ａ〜２１ｃにて室内側係合部２２を固定する。しかる後にガラスパネル、巾木、無目等を組みつける。
【００２５】
左部材３１、及び右部材３２として、アルミニウム押出し品の表面にアルマイト処理を施した材料を好ましく使用することができるが、本発明はこれに限定されるものではなく、例えば鋼等の他の金属材料を使用することも可能である。カバー部材２０も、アルミニウム押出し品の表面にアルマイト処理を施した材料を好ましく使用することができるが、本発明はこれに限定されるものではなく、例えば鋼や合成樹脂等の他の材料を使用することも可能である。またこれらの材料表面に意匠を施した化粧シートを貼着しても良い。
【００２６】
以上、現時点において、最も、実践的であり、かつ、好ましいと思われる実施形態に関連して本発明を説明したが、本発明は、本願明細書中に開示された実施形態に限定されるものではなく、請求の範囲及び明細書全体から読み取れる発明の要旨あるいは思想に反しない範囲で適宜変更可能であり、そのような変更を伴う外壁もまた本発明の技術的範囲に包含されるものとして理解されなければならない。
【００２７】
【発明の効果】
以上に説明したように、請求項１に記載の発明によれば、左右の２部材で構成される方立は、左右２部材が室内側及び室外側の係合部においてそれぞれ連結部材により固定されているので、ガタツキが生じる余地がない。また同様の理由により、方立の室内側、あるいは室外側が広がってしまう虞もない。さらに連結部材はカバーにより覆われるので、例えば連結部材がビス等外観上好ましくないものであったとしても、観者の目に振れることがなく、見た目にも快い方立を備えた外壁を構成することが可能となる。
【図面の簡単な説明】
【図１】建物外壁を示す正面図である。
【図２】図１のＡ部を拡大して示す図である。
【図３】図２におけるＩＩＩ−ＩＩＩ線に沿った水平断面図である。
【図４】従来の方立の構造を示す水平断面図である。
【図５】従来の他の方立の構造を示す水平断面図である。
【符号の説明】
Ｐ１、Ｐ２  ガラスパネル（パネル）
１０  外壁
１２ａ〜１２ｈ  方立
１３ａ〜１３ｉ  横材
１３ｊ  巾木（横材）
２０  カバー（カバー部材）
２１ａ〜２１ｃ  ビス（連結部材）
２２  第二係合部（係合部）
２３  第一係合部（係合部）
３１  左部材
３２  右部材
３３ａ、３３ｂ  シーラント（シール部材）
３４ａ、３４ｂ  ビード（シール部材）
３８  ビス（連結部材）
【図１】
2004278175.tif 000003
【図２】
2004278175.tif 000004
【図３】
2004278175.tif 000005
【図４】
2004278175.tif 000006
【図５】
2004278175.tif 000007